(57)【要約】【課題】吊下げ形態と載置形態のいずれかを選択できると共に、いずれの形態で使用する場合でも、安定させた状態に保持することができるように改善したディスプレイ用具を提供する。【解決手段】二つの商品収納部３０、３１を上下方向に間隔をあけて取り付けた背板１０を伸長させた吊下げ形態と屈曲させた載置形態のいずれかを選択できるようにしたディスプレイ用具であって、上部商品収納部３０を取り付ける上側背板部と下部商品収納部３１を取り付ける下側背板部とから背板１０を形成した。下側背板部は、載置形態では、後板部１２の下側部分、載置底板部１３、前板下部１４ａおよび前板上部１４ｂによって四角筒状に形成され、吊下げ形態では、後板部１２の下側部分と載置底板部１３とからなる平板部に前板下部１４ａと前板上部１４ｂとからなる平板部を重ねて平板状に形成され、吊下げ形態および載置形態のいずれでも安定させた状態に保持することができる。【選択図】  図１
0003113539.tif 000002
【実用新案登録請求の範囲】
【請求項１】
所定の位置で屈曲自在に形成された背板に、二つの商品収納部を上下方向に間隔をあけて取り付けて、前記背板を伸長させた吊下げ形態と前記背板を屈曲させた載置形態のいずれかを選択できるようにしたディスプレイ用具において、
前記背板は、上部商品収納部を取り付ける上側背板部と下部商品収納部を取り付ける下側背板部とから形成され、
また、前記下側背板部は、後板部の下側部分と載置底板部とから形成される平板部に、前板下部と前板上部とから形成される平板部が重ねられて平板状に形成されており、
さらに、前記下側背板部は、前記背板を屈曲させた載置形態では、前記後板部の下側部分、前記載置底板部、前記前板下部および前記前板上部によって四角筒状に形成されると共に、前記背板を伸長させた吊下げ形態では、前記後板部の下側部分と前記載置底板部とから形成される平板部に前記前板下部と前記前板上部とから形成される平板部が重ねられて平板状に形成されることを特徴とするディスプレイ用具。
【請求項２】
前記背板は、前記後板部、前記載置底板部、前記前板下部および前記前板上部が、それぞれ折曲線を介して連設された一枚の細長い板状体からなり、前記後板部の下側部分と前記載置底板部とから形成される平板部に対して、前記前板下部と前記前板上部とから形成される平板部を重なるように折り曲げて、前記前板上部の端部を前記後板部に貼着したことを特徴とする請求項１に記載のディスプレイ用具。
【請求項３】
さらに、前記背板は、前記後板部の上端部に折曲線を介して連設された上側前板部を有し、該上側前板部を前記後板部に重なるように折り曲げて、前記上側前板部の端部を前記前板上部の端部に近接させた状態で前記後板部に貼着したことを特徴とする請求項２に記載のディスプレイ用具。
【請求項４】
前記背板を伸長させた吊下げ形態に保持する吊下げ形態保持部を備え、該吊下げ形態保持部は、前記後板部に形成した嵌合孔と、前記前板下部に形成した嵌合片と、からなることを特徴とする請求項１〜３のいずれかに記載のディスプレイ用具。
【請求項５】
前記背板を屈曲させた載置形態に保持する載置形態保持部を備え、該載置形態保持部は、前記上部商品収納部に形成した収納部嵌合孔と、前記前板下部に形成した嵌合片と、からなることを特徴とする請求項１〜４のいずれかに記載のディスプレイ用具。
【請求項６】
前記背板は、商品見本を着脱自在に保持する商品見本保持部を備えることを特徴とする請求項１〜５のいずれかに記載のディスプレイ用具。
【請求項７】
前記上部および下部商品収納部は、仕切板を備えることを特徴とする請求項１〜６のいずれかに記載のディスプレイ用具。
【請求項８】
前記背板は、前記上部および下部商品収納部を取り付けた部分を除いた箇所に広告表示部を備えることを特徴とする請求項１〜７のいずれかに記載のディスプレイ用具。
【請求項９】
前記上部および下部商品収納部は、前面部および側面部の少なくとも一方に広告表示部を備えることを特徴とする請求項１〜８のいずれかに記載のディスプレイ用具。
【考案の詳細な説明】
【技術分野】
【０００１】
本考案は、各種商品を収納して販売することができるディスプレイ用具に関し、特に、吊下げた形態或は棚などに載置した形態のいずれかを選択して使用できるようにしたディスプレイ用具に関する。
【背景技術】
【０００２】
従来から、各種の商品など収容して店頭などに設置できるディスプレイ用具として、種々の形態のもの、例えば、吊下げた形態で使用できるもの、棚などの上に載置した形態で使用できるもの、あるいは、吊下げた形態と載置した形態のいずれかを選択して使用できるものが開発され、実用化されている。
【０００３】
そして、吊下げた形態と載置した形態のいずれかを選択して使用できるものとして、特許文献１には、折畳可能なバックボードブランク板と２個のポケットからなり、２個のポケットをバックボードブランク板の所定位置に取り付けると共に、一方のポケットに嵌入片を突設し、他方のポケットおよびバックボードブランク板に嵌入穴を穿設して、一方のポケットに突設した嵌入片を、他方のポケットの嵌入穴またはバックボードブランク板の嵌入穴に選択して嵌入することにより、吊下式或は卓上式として使用することができる販売台が開示されている。
【０００４】
また、特許文献２には、平板状に形成された吊下げ用背板部とこの吊下げ用背板部に取り付けられる上下２段の陳列用棚部を備え、吊下げ用背板部には、上下に舌片挿通用穴部を形成すると共に、上側の陳列用棚部より下側の吊下げ用背板部の部分を折り曲げ自在の載置用底板部に形成し、また、各陳列用棚部には、舌片と舌片挿通用穴部を形成して、下側の陳列用棚部の舌片を、上側の陳列用棚部の舌片挿通用穴部または吊下げ用背板部の下側の舌片挿通用穴部に選択して挿通することにより、吊下げ態様或は平置き態様として使用することができる陳列棚が開示されている。
【０００５】
さらに、特許文献３には、吊板の下方に２枚の背当板を連設し、各背当板に形成したビス穴に、各トレーの背面から突設させたビスを挿入して、トレーを上下に配して、吊下げた状態で使用する形態と、上段側トレーを箱型の支持台の上に載せると共に、下段側トレーのビスを、支持台の長穴に係合させて、卓上に置いた状態で使用する形態と、を選択して使用することができる紙製陳列棚が開示されている。
【特許文献１】実開平３−９４１５６号公報
【特許文献２】特開２００１−１９０３７５号公報
【特許文献３】特開２００４−２３６８８０号公報
【考案の開示】
【考案が解決しようとする課題】
【０００６】
特許文献１の販売台は、折畳可能なバックボードブランク板と２個のポケットから構成され、一方のポケットに突設した嵌入片を、他方のポケットの嵌入穴またはバックボードブランク板の嵌入穴に選択して嵌入することにより、吊下式或は卓上式として使用することができるが、卓上式として使用する場合、下方に位置するポケットの後端上部に突設した嵌入片を、上方に位置するポケットの前端下部に形成した嵌入孔に嵌入させるだけであるため、上方に位置するポケットは、その前端下部が下方に位置するポケットの後端上部だけで支持されることになり、上方に位置するポケットを安定させた状態に保持することができない。また、バックボードブランク板は、第２背板と連結板との間で折り曲げられると共に、この折り曲げ部分に嵌入孔が形成されているため、吊下式として使用する場合に、バックボードブランク板を伸長させた状態に保時することができない。
特に、販売台を卓上に置いた状態で展示する際に、上方に位置するポケットは、その前端下部が下方に位置するポケットの後端上部だけで支持されているため、上方に位置するポケットに重量のある商品を収納した場合、上方に位置するポケットを下方に位置するポケットで支えきれなくなるおそれがある。また、販売台を吊下げた形態で展示する際に、バックボードブランク板の裏面が展示箇所の壁面などに支持されていない場合には、バックボードブランク板が折れ曲がってしまうため、上下のポケットに収納した商品の向きが不揃いとなり、展示イメージを低下させてしまう。
【０００７】
また、特許文献２の陳列棚は、吊下げ用背板部とこの吊下げ用背板部に取り付けられる上下２段の陳列用棚部を備え、下側の陳列用棚部の舌片を、上側の陳列用棚部の舌片挿通用穴部または吊下げ用背板部の下側の舌片挿通用穴部に選択して挿通することにより、吊下げ態様或は平置き態様として使用することができるが、平置き態様で使用する場合、下側の陳列用棚部の後端上部に突設した舌片を、上側の陳列用棚部の前端下部に形成した舌片挿通用穴部に挿通させるだけであるため、上側の陳列用棚部は、その前端下部が下側の陳列用棚部の後端上部だけで支持されることになり、特許文献１の販売台と同様に、上側の陳列用棚部を安定させた状態に保持することができない。また、吊下げ用背板部は、上側の陳列用棚部より下側の部分が折り曲げ自在に形成されているため、特許文献１の販売台と同様に、吊下げ態様として使用する場合に、吊下げ用背板部を伸長させた状態に保時することができない。
そのため、特許文献１の販売台と同様に、陳列棚を平置き態様で使用した際に、上側の陳列用棚部は、その前端下部が下側の陳列用棚部の後端上部だけで支持されているため、上側の陳列用棚部に重量のある商品を収納した場合、上側の陳列用棚部を下側の陳列用棚部で支えきれなくなるおそれがある。また、陳列棚を吊下げ態様で使用した場合に、吊下げ用背板部が折れ曲がってしまい、上下の陳列用棚部に収納した見本品などの向きが不揃いとなり、展示イメージを低下させてしまうことになる。
【０００８】
さらに、特許文献３の紙製陳列具は、吊下げ形態で使用する場合には、吊板と２枚の背当板とからなる台紙を利用して、各背当板に、それぞれトレーを係合させているが、卓上に置いた形態で使用する場合には、吊板と２枚の背当板を取り除いて、別途支持台を利用して、この支持台にトレーを係合させた状態で使用するため、使用形態を変更する場合の作業が煩雑となってしまう。
また、吊下げ形態で使用する場合には、吊板に、２枚の背当板を連結片を介して接続して台紙を形成しているため、特許文献１の販売台或は特許文献２の陳列棚と同様に、台紙が折れ曲がってしまい、上下のトレーに収納した商品の向きが不揃いとなり、展示イメージを低下させてしまうことになる。
【０００９】
本考案は、上述したような従来の事情に鑑みてなされたものであり、吊下げ形態と載置形態のいずれかを選択できると共に、特に、載置形態で使用する場合には、背板を屈曲させた状態に保持して、上方に位置する商品収納部を安定させた状態で支持ことができると共に、吊下げ形態で使用する場合には、背板を伸長させた状態に保持して、上下に位置する商品収納部を安定させた状態で支持することができるように改善したディスプレイ用具を提供することを目的とする。
【課題を解決するための手段】
【００１０】
上記課題を達成するために、請求項１に記載のディスプレイ用具に係る考案は、所定の位置で屈曲自在に形成された背板に、二つの商品収納部を上下方向に間隔をあけて取り付けて、前記背板を伸長させた吊下げ形態と前記背板を屈曲させた載置形態のいずれかを選択できるようにしたディスプレイ用具において、前記背板は、上部商品収納部を取り付ける上側背板部と下部商品収納部を取り付ける下側背板部とから形成され、また、前記下側背板部は、後板部の下側部分と載置底板部とから形成される平板部に、前板下部と前板上部とから形成される平板部が重ねられて平板状に形成されており、さらに、前記下側背板部は、前記背板を屈曲させた載置形態では、前記後板部の下側部分、前記載置底板部、前記前板下部および前記前板上部によって四角筒状に形成されると共に、前記背板を伸長させた吊下げ形態では、前記後板部の下側部分と前記載置底板部とから形成される平板部に前記前板下部と前記前板上部とから形成される平板部が重ねられて平板状に形成されることを特徴とする。
【００１１】
また、上記課題を達成するために、請求項２に記載のディスプレイ用具に係る考案は、請求項１に記載の考案において、前記背板は、前記後板部、前記載置底板部、前記前板下部および前記前板上部が、それぞれ折曲線を介して連設された一枚の細長い板状体からなり、前記後板部の下側部分と前記載置底板部とから形成される平板部に対して、前記前板下部と前記前板上部とから形成される平板部を重なるように折り曲げて、前記前板上部の端部を前記後板部に貼着したことを特徴とする。
【００１２】
さらに、上記課題を達成するために、請求項３に記載のディスプレイ用具に係る考案は、請求項２に記載の考案において、さらに、前記背板は、前記後板部の上端部に折曲線を介して連設された上側前板部を有し、該上側前板部を前記後板部に重なるように折り曲げて、前記上側前板部の端部を前記前板上部の端部に近接させた状態で前記後板部に貼着したことを特徴とする。
【００１３】
さらにまた、上記課題を達成するために、請求項４に記載のディスプレイ用具に係る考案は、請求項１〜３のいずれかに記載の考案において、前記背板を伸長させた吊下げ形態に保持する吊下げ形態保持部を備え、該吊下げ形態保持部は、前記後板部に形成した嵌合孔と、前記前板下部に形成した嵌合片と、からなることを特徴とする。
【００１４】
さらにまた、上記課題を達成するために、請求項５に記載のディスプレイ用具に係る考案は、請求項１〜４のいずれかに記載の考案において、前記背板を屈曲させた載置形態に保持する載置形態保持部を備え、該載置形態保持部は、前記上部商品収納部に形成した収納部嵌合孔と、前記前板下部に形成した嵌合片と、からなることを特徴とする。
【００１５】
さらにまた、上記課題を達成するために、請求項６に記載のディスプレイ用具に係る考案は、請求項１〜５のいずれかに記載の考案において、前記背板は、商品見本を着脱自在に保持する商品見本保持部を備えることを特徴とする。
【００１６】
さらにまた、上記課題を達成するために、請求項７に記載のディスプレイ用具に係る考案は、請求項１〜６のいずれかに記載の考案において、前記上部および下部商品収納部は、仕切板を備えることを特徴とする。
【００１７】
さらにまた、上記課題を達成するために、請求項８に記載のディスプレイ用具に係る考案は、請求項１〜７のいずれかに記載の考案において、前記背板は、前記上部および下部商品収納部を取り付けた部分を除いた箇所に広告表示部を備えることを特徴とする。
【００１８】
さらにまた、上記課題を達成するために、請求項９に記載のディスプレイ用具に係る考案は、請求項１〜８のいずれかに記載の考案において、前記上部および下部商品収納部は、前面部および側面部の少なくとも一方に広告表示部を備えることを特徴とする。
【００１９】
本考案は、基本的には以上の事項を特徴とするものであるが、背板を伸長させた吊下げ形態に保持する吊下げ形態保持部として、後板部と前板下部との間に、磁石と磁性体とからなる保持部材または両面接着テープを設けてもよい。この場合、磁石と磁性体とからなる保持部材または両面接着テープのみで吊下げ形態保持部を形成することができるが、嵌合孔と嵌合片からなる吊下げ形態保持部に加えて、さらに、磁石と磁性体とからなる保持部材または両面接着テープからなる吊下げ形態保持部を追加することもできる。
【考案の効果】
【００２０】
請求項１に記載のディスプレイ用具に係る考案によれば、ディスプレイ用具の背板は、上部商品収納部を取り付ける上側背板部と下部商品収納部を取り付ける下側背板部とから形成され、特に、下側背板部は、後板部の下側部分と載置底板部とから形成される平板部に、前板下部と前板上部とから形成される平板部が重ねられて平板状に形成され、また、下側背板部は、背板を屈曲させた載置形態では、後板部の下側部分、載置底板部、前板下部および前板上部によって四角筒状に形成されると共に、背板を伸長させた吊下げ形態では、後板部の下側部分と載置底板部とから形成される平板部に前板下部と前板上部とから形成される平板部が重ねられて平板状に形成されるので、載置形態で使用する場合には、背板を屈曲させた状態に保持して、上方に位置する商品収納部を、四角筒状に形成された下側背板部で安定させた状態で支持ことができると共に、吊下げ形態で使用する場合には、背板を伸長させた状態に保持して、上下に位置する商品収納部を安定させた状態で支持することが可能となる。
【００２１】
また、請求項２記載のディスプレイ用具に係る考案によれば、請求項１の効果に加えて、背板は、後板部、載置底板部、前板下部および前板上部が、それぞれ折曲線を介して連設された一枚の細長い板状体からなり、後板部の下側部分と載置底板部とから形成される平板部に対して、前板下部と前板上部とから形成される平板部を重なるように折り曲げて、前板上部の端部を後板部に貼着したので、特に、下側背板部は二重重ね構造となり、背板の剛性を向上させることができる。
【００２２】
また、請求項３記載のディスプレイ用具に係る考案によれば、請求項２の効果に加えて、背板は、後板部の上端部に折曲線を介して連設された上側前板部を有し、該上側前板部を後板部に重なるように折り曲げて、上側前板部の端部を前板上部の端部に近接させた状態で後板部に貼着したので、背板全体が二重重ね構造となり、背板の剛性をさらに向上させることができる。
【００２３】
さらに、請求項４に記載のディスプレイ用具に係る考案によれば、請求項２の効果に加えて、背板を伸長させた吊下げ形態に保持する吊下げ形態保持部を備え、該吊下げ形態保持部は、後板部に形成した嵌合孔と、前板下部に形成した嵌合片とから構成したので、背板を二重重ね構造とすることにより吊下げ形態保持部を簡単に形成することができる。
【００２４】
さらに、請求項５に記載のディスプレイ用具に係る考案によれば、請求項１〜４のいずれかの効果に加えて、背板を屈曲させた載置形態に保持する載置形態保持部は、上部商品収納部に形成した収納部嵌合孔と前板部に形成した嵌合片とから構成したので、載置形態保持部は吊下げ形態保持部と兼用することが可能となり、載置形態保持部の構成が簡単となる。
【００２５】
さらにまた、請求項６に記載のディスプレイ用具に係る考案によれば、請求項１〜５の効果に加えて、背板は、商品見本を着脱自在に保持する商品見本保持部を備えるので、商品の中身を商品見本として展示することができる。
【００２６】
さらにまた、請求項７に記載のディスプレイ用具に係る考案によれば、請求項１〜６の効果に加えて、商品収納部は仕切板を備えるので、大きさの異なる商品でも整列させた状態で展示することが容易となる。
【００２７】
さらにまた、請求項８に記載のディスプレイ用具に係る考案によれば、請求項１〜７の効果に加えて、背板は、商品収納部の取付部分を除いた箇所に広告表示部を備えるので、商品収納部に収納された商品を効果的に宣伝することが可能となる。
【００２８】
さらにまた、請求項９に記載のディスプレイ用具に係る考案によれば、請求項１〜８の効果に加えて、商品収納部は、前面部および側面部の少なくとも一方に広告表示部を備えるので、商品の広告効果をさらに高めることが可能となる。
【考案を実施するための最良の形態】
【００２９】
以下、本考案の実施の形態に係るディスプレイ用具を図１〜図６に基づいて説明する。
本考案の実施の形態に係るディスプレイ用具は、図１（Ａ）に示すように、吊紐２９を利用して、背板１０を伸長させた吊下げ形態で使用したり、或は、図１（Ｂ）に示すように、背板１０を屈曲させて棚などの上に置いた載置形態で使用したり、商品の展示形態に応じていずれかを選択して使用できるようにしたものである。
そして、本考案の実施の形態に係るディスプレイ用具は、上側前板部１１および上部商品収納部３０と下部商品収納部３１との間に位置する前板上部１４ｂを広告表示部として、例えば、商品名と共に「新発売」などの文字を表示し、また、上部および下部商品収納部３０、３１の前面部３２または側面部３３を広告表示部として、商品の効能や価格などの文字を表示して、商品の宣伝効果を高めるように使用できるものである。
以下、本考案の実施の形態に係るディスプレイ用具を詳細に説明する。
【００３０】
図２に示すように、ディスプレイ用具は、主として、背板１０と、例えば２個の上部および下部商品収納部３０、３１とから構成されている。
まず、背板１０は、図３に示すように、一枚の細長い板状体、例えば、紙製の板状体から構成されている。そして、この背板１０を構成する板状体は、組み立てた状態（図２および図４参照）で二重に重ねられるように、上側前板部１１、後板部１２、載置底板部１３、下側前板部１４、下側前板部貼着部１５および側板部１６が後述する折曲線２３、２４、２５、２７、２８を介して一体に形成されている。
ここで、下側前板部１４は、前板下部１４ａと前板上部１４ｂから構成されており、前板下部１４ａと前板上部１４ｂは前板上部折曲線２６を介して連設して形成されている。
また、後板部１２に載置底板部１３を加えた長さが、上側前板部１１に下側前板部１４を加えた長さとほぼ同じ長さに形成されると共に、載置底板部１３と前板上部１４ｂはほぼ同じ長さに形成されている。
ここで、上側背板部は、上側前板部１１と後板部１２の上側部分とから形成されており、また、下側背板部は、後板部１２の下側部分と、載置底板部１３と、前板下部１４ａと前板上部１４ｂとから形成されている。
そして、背板１０を屈曲させた載置形態では、下側背板部は、後板部１２の下側部分、載置底板部１３、前板下部１４ａおよび前板上部１４ｂによって四角筒状に形成されると共に、背板１０を伸長させた吊下げ形態では、後板部１２の下側部分と載置底板部１３とから形成される平板部に、前板下部１４ａと前板上部１４ｂとから形成される平板部（下側前板部１４）が重ねられて二重構造の平板状に形成される。
なお、上側前板部１１および下側前板部１４の前板上部１４ｂには、予め所定の広告を印刷などにより表示してもよい。
【００３１】
そして、上側前板部１１と後板部１２との間には上側前板部折曲線２３が形成されており、上側前板部１１は、上側前板部折曲線２３に沿って後板部１２に重なるように折り曲げることができる。
また、後板部１２と載置底板部１３との間には載置底板部折曲線２４が形成されており、ディスプレイ用具を載置形態で展示する際に、載置底板部１３を後板部１２に対して直交するように折り曲げることができるようにしている。
さらに、載置底板部１３と下側前板部１４との間に下側前板部折曲線２５が形成されており、ディスプレイ用具を吊下げ形態で展示する際に、下側前板部１４は後板部１２に重なるように折り曲げられる。ここで、図４（Ａ）および（Ｂ）に示すように、下側前板部１４を後板部１２に重なるように折り曲げると、下側前板部１４は載置底板部１３に対しても重ねられた状態となる。
また、下側前板部１４と下側前板部貼着部１５との間に下側前板部貼着部折曲線２７が形成されており、下側前板部１４を後板部１２に重なるように折り曲げた際に、下側前板部１４の下端に形成された下側前板部貼着部１５を後板部１２に貼着させるようにしている。
さらに、後板部１２と側板部１６との間に側板部折曲線２８が形成されており、ディスプレイ用具として組み立てた際に、側板部１６は後板部１２に対して直交するように折り曲げられて、側板部１６の上部が上部商品収納部３０の両側の側面部３３に貼着される。
【００３２】
また、図３に示すように、上側前板部１１および後板部１２には、上側前板部折曲線２３を中心として対称の位置に吊紐孔１７が形成されており、上側前板部１１を後板部１２に重なるように折り曲げた際に、各吊紐孔１７が位置合わせされて、各吊紐孔１７に吊紐２９を挿通して取り付けることができるようにされている。また、一つ又は複数の孔を吊紐孔１７と同様に背板１０に設けて、吊紐２９を用いずに前記孔にフック等を引っ掛ける形で吊下げてもよい。
さらに、後板部１２の下方に、嵌合孔１８が形成されており、後述する嵌合片１９を嵌合孔１８に嵌合させた状態で、ディスプレイ用具を吊下げ形態に保持できるようにしている。
【００３３】
また、図３に示すように、下側前板部１４は、前板下部１４ａと前板上部１４ｂとから構成されており、前板下部１４ａと前板上部１４ｂとの間に前板上部折曲線２６が形成されており、ディスプレイ用具を載置形態で展示する際に、下部商品収納部３１が取り付けられる前板下部１４ａが前板上部１４ｂに対して直交するように折り曲げられる。
さらに、前板下部１４ａと前板上部１４ｂとの間には、前板上部折曲線２６に交差するように嵌合片切抜線２０がコ字状に切り抜かれて形成されており、この嵌合片切抜線２０により切り抜かれた嵌合片１９は、前板上部折曲線２６に平行させて形成された嵌合片折曲線２１に沿って折り曲げることができるように構成されている。
また、嵌合片１９には、前板上部折曲線２６と同じ位置に、嵌合片中間折曲線２２が形成されており、この嵌合片中間折曲線２２に沿って嵌合片１９を直交するように折り曲げることにより、嵌合片１９は、後板部１２の嵌合孔１８または上部商品収納部３０の収納部嵌合孔４１に嵌合されて、ディスプレイ用具を吊下げ形態或は載置形態に保持できるように機能する。
ここで、嵌合孔１８および嵌合片１９は吊下げ形態保持部を、また、収納部嵌合孔４１および嵌合片１９は載置形態保持部を構成する。
【００３４】
以上のように構成された背板１０は、ディスプレイ用具の背板１０として組み立てる際には、以下のようにして、図３に示す状態から図４（Ａ）および（Ｂ）に示す状態に折り曲げられて組み立てられる。
まず、上側前板部１１を、上側前板部折曲線２３に沿って後板部１２に重なるように下方に折り曲げて、図４（Ａ）に示すように、上側前板部１１の端部を後板部１２に貼着する。すると、上側前板部１１および後板部１２に形成した吊紐孔１７が位置合わせされて、吊紐２９が挿通される吊紐孔１７が形成される。
次に、下側前板部１４を、下側前板部折曲線２５に沿って後板部１２に重なるように折り曲げると共に、下側前板部１４の端部に連設した下側前板部貼着部１５を、下側前板部貼着部折曲線２７に沿って後板部１２に対向するように内側に折り曲げて、下側前板部貼着部１５を後板部１２に貼着する。
この状態で、図４（Ａ）に示すように、上側前板部１１の下端部および下側前板部１４の上端部は、それぞれ互いに近接した状態で後板部１２に貼着される。
【００３５】
そして、下側前板部１４は、前板下部１４ａと前板上部１４ｂとから形成され、前板下部１４ａと前板上部１４ｂとの間に前板上部折曲線２６が形成されているため、図１（Ｂ）に示すように、ディスプレイ用具の載置形態では、下部商品収納部３１を取り付けた前板下部１４ａを前板上部１４ｂに対して直交するように折り曲げることができる。
なお、図４（Ｂ）は、図４（Ａ）に示す背板１０を後面から見た図であり、図４（Ｂ）には、背板１０を伸長させた吊下げ形態に保持する際に、下側前板部１４の嵌合片１９を嵌合する嵌合孔１８が図示されると共に、背板１０を屈曲させた載置形態に変更する際に、後板部１２に対して載置底板部１３を直交するように折り曲げるための載置底板部折曲線２４が図示されている。
また、この実施の形態では、上側背板部は、後板部１２の上側部分に上側前板部１１を重ねた二重構造に形成されているが、上側背板部は、後板部１２の上側部分のみで形成することもできる。
【００３６】
次に、上部および下部商品収納部３０、３１は、図５に示すように、一枚の横長の板状体、例えば、背板１０と同様に紙製の板状体から構成される。
そして、上部および下部商品収納部３０、３１を構成する板状体には、前面部３２、側面部３３および背面部３４が、上部および下部商品収納部３０、３１の各側面を形成するようにそれぞれ折曲線を介して連設して形成されている。
また、前面部３２には、底面前部３５ａと前重面部３６ａが、各側面部３３には、底面側部３５ｂと側重面部３６ｂが、背面部３４には、底面背部３５ｃと背重面部３６ｄが、それぞれ折曲線を介して連設して形成されている。さらに、前重面部３６ａには、底重面部３６ｃが折曲線を介して連設して形成されている。
さらに、前重面部３６ａと側重面部３６ｂとの間、および、側重面部３６ｂと底重面部３６ｃとの間に、重面部切抜線３８が形成されている。
また、底重面部３６ｃの端部に差込片３９が一体に突設されており、この差込片３９を、背重面部３６ｄと背重面貼着部３７ｃとの間の折曲線の位置に形成された差込孔４０に差し込むことにより、上部および下部商品収納部３０、３１が、図６（Ａ）および（Ｂ）に示す状態に構成される。
さらに、前面部３２と底面前部３５ａとの間の折曲線の位置に収納部嵌合孔４１が形成されており、嵌合片１９を収納部嵌合孔４１に嵌合して固定することにより、ディスプレイ用具を載置形態に保持できるようにしている。
【００３７】
そして、図５に示す上部および下部商品収納部３０、３１を構成する一枚の板状体は、以下のようにして、図６（Ａ）に示す上部および下部商品収納部３０、３１に組み立てられる。
まず、前面部３２、二つの側面部３３および背面部３４を、上部および下部商品収納部３０、３１の各側面を形成するように折曲線に沿って折り曲げて、一方の側面部３３に折り曲げ自在に連設された側面貼着部３７ａを、背面部３４の内面に貼着する。
次に、前面部３２、二つの側面部３３および背面部３４に折曲線を介して連設された底面前部３５ａ、底面側部３５ｂおよび底面背部３５ｃを、底面を形成するように、それぞれ折曲線を介して折り曲げて組み合わせる。
さらに、側面部３３に対して側重面部３６ｂを、また、背面部３４に対して背重面部３６ｄを、それぞれ折曲線に沿って内側に折り曲げて、各側重面部３６ｂに折り曲げ自在に連設された側重面貼着部３７ｂを、底面前部３５ａ、二つの底面側部３５ｂおよび底面背部３５ｃから形成された底面に貼着すると共に、背面部３４に対して背重面部３６ｄを折曲線に沿って内側に折り曲げて、背重面部３６ｄに折り曲げ自在に連設された背重面貼着部３７ｃを、同様に底面に貼着する。
最後に、前面部３２に連設された前重面部３６ａと底重面部３６ｃを、それぞれ折曲線に沿って内側に折り曲げて、底重面部３６ｃの端部に突設した差込片３９を、背重面部３６ｄと背重面貼着部３７ｃとの間の折曲線の位置に形成された差込孔４０に差し込んで、底重面部３６ｃを固定する。
その結果、図６（Ａ）に示すような上部および下部商品収納部３０、３１が構成される。なお、図６（Ｂ）に示すように、上部および下部商品収納部３０、３１に収納する商品のサイズに合わせて内部を区画する仕切板４２を設けてもよい。
【００３８】
本考案に係るディスプレイ用具は、以上のように構成された背板１０に、上部および下部商品収納部３０、３１を取り付けることにより組み立てられる。
まず、図２に示すように、上部商品収納部３０を、その底面の位置を、上側前板部１１の下端部と下側前板部１４の上端部との近接位置に合わせて、上側前板部１１に貼着して取り付ける。
次に、下部商品収納部３１を、その底面の位置を、前板下部１４ａの下端の位置に合わせて、前板下部１４ａに貼着して取り付ける。
さらに、二つの側板部１６をそれぞれ側板部折曲線２８に沿って折り曲げて、各側板部１６の上部を上部商品収納部３０の両側面部３３、３３に貼着する。
最後に、吊紐孔１７に吊紐２９を挿通して取り付けると共に、必要に応じて、上側前板部１１の上方で、吊紐孔１７の側方に、例えば、両面接着テープから構成された商品見本保持部５１を取り付けて、ディスプレイ用具の組み立てを終了する。
【００３９】
以上のように構成されたディスプレイ用具の使用形態について、以下に説明する。
本考案の実施の形態に係るディスプレイ用具は、商品の展示形態に応じて、図１（Ａ）に示す吊下げ形態と、図１（Ｂ）に示す載置形態の、いずれかを選択して使用できるように構成されている。
まず、図１（Ａ）に示す吊下げ形態で使用する場合には、前板下部１４ａと前板上部１４ｂとの間に形成された嵌合片１９を嵌合片折曲線２２の位置で折り曲げて、嵌合片１９の折り曲げた端部を嵌合孔１８に嵌合して固定する。必要に応じて、嵌合孔１８から背面に突出した嵌合片１９をテープ等で固着して、より堅固に固定させてもよい。
すると、背板１０は、嵌合孔１８に嵌合片１９が嵌合して固定されるため、後板部１２に下側前板部１４が二重に重ねられて保持された状態となり、背板１０は伸長された状態に保持される。
そして、図１（Ａ）に示すように、ディスプレイ用具は、背板１０を伸長させた状態で、吊紐２９を図示しない掛け止め具に掛けることにより、吊下げ形態で使用することができる。
本考案の実施の形態に係るディスプレイ用具は、特に、吊下げ形態で使用する際に、嵌合孔１８に嵌合片１９を嵌合して、背板１０を伸長させた状態に保持できるので、上下方向に間隔をあけて取り付けた上部および下部商品収納部３０、３１にそれぞれ商品５２を収納して展示した場合でも、上部商品収納部３０と下部商品収納部３１との間で背板１０が商品５２の重みにより折れ曲がることを確実に防止できるものである。
【００４０】
また、本考案の実施の形態に係るディスプレイ用具は、図１（Ｂ）に示す載置形態で使用する場合には、後板部１２の嵌合孔１８に嵌合・固定した嵌合片１９を、嵌合孔１８から引き抜いて、載置底板部１３を載置底板部折曲線２４に沿って後板部１２に対して折り曲げると共に、下部商品収納部３１を取り付けた前板下部１４ａを前板上部折曲線２６に沿って前板上部１４ｂに対して直交するように折り曲げて、嵌合片１９を上部商品収納部３０の前面下端部に形成した収納部嵌合孔４１に嵌合して固定することにより、下側背板部は、後板部１２の下側部分、載置底板部１３、前板下部１４ａおよび前板上部１４ｂによって四角筒状に保持されて、載置底板部１３と下部商品収納部３１の底面が同一面に揃えられた状態となり、上部商品収納部３０と下部商品収納部３１を雛壇状に保持させた載置形態で使用できるものである。
【図面の簡単な説明】
【００４１】
【図１】本考案の実施の形態に係るディスプレイ用具の使用形態を示す図であり、吊下げ形態（Ａ）と載置形態（Ｂ）の斜視図である。
【図２】本考案の実施の形態に係るディスプレイ用具の吊下げ形態の分解斜視図である。
【図３】背板を構成する板状体を示す展開平面図である。
【図４】図３に示す背板を構成する板状体の上側前板部と下側前板部をそれぞれ折曲線に沿って折り曲げて、後板部に重ねて後板部に貼着した状態の背板を示す、前面図（Ａ）と後面図（Ｂ）である。
【図５】上部および下部商品収納部を構成する板状体を示す展開平面図である。
【図６】図５に示す上部および下部商品収納部を構成する板状体を折曲線に沿って折り曲げて、組み立てた状態の上部および下部商品収納部を示す図であり、第１の形態（Ａ）と第２の形態（Ｂ）の斜視図である。
【符号の説明】
【００４２】
１０  背板
１１  上側前板部（上側背板部、広告表示部）
１２  後板部（上側背板部、下側背板部）
１３  載置底板部（下側背板部）
１４  下側前板部（下側背板部）
１４ａ  前板下部（下側背板部）
１４ｂ  前板上部（下側背板部、広告表示部）
１５  下側前板部貼着部
１６  側板部
１７  吊紐孔
１８  嵌合孔（吊下げ形態保持部）
１９  嵌合片（吊下げ形態保持部、載置形態保持部）
２０  嵌合片切抜線
２１  嵌合片折曲線
２２  嵌合片中間折曲線
２３  上側前板部折曲線
２４  載置底板部折曲線
２５  下側前板部折曲線
２６  前板上部折曲線
２７  下側前板部貼着部折曲線
２８  側板部折曲線
２９  吊紐
３０  上部商品収納部
３１  下部商品収納部
３２  前面部（広告表示部）
３３  側面部（広告表示部）
３４  背面部
３５ａ  底面前部
３５ｂ  底面側部
３５ｃ  底面背部
３６ａ  前重面部
３６ｂ  側重面部
３６ｃ  底重面部
３６ｄ  背重面部
３７ａ  側面貼着部
３７ｂ  側重面貼着部
３７ｃ  背重面貼着部
３８  重面部切抜線
３９  差込片
４０  差込孔
４１  収納部嵌合孔（載置形態保持部）
４２  仕切板
５０  商品見本
５１  商品見本保持部
５２  商品
【図１】
0003113539.tif 000003
【図２】
0003113539.tif 000004
【図３】
0003113539.tif 000005
【図４】
0003113539.tif 000006
【図５】
0003113539.tif 000007
【図６】
0003113539.tif 000008